(57)【要約】【課題】真ん中野菜室タイプの冷蔵庫であっても野菜室にオゾンやＯＨラジカルを含むナノレベルのミストを供給でき、しかも信頼性が高い冷蔵庫の提供。【解決手段】霧化装置３４の印加電極３５をペェルチェ素子３７で冷却する構成とし、かつ、前記霧化装置３４の制御部４８はペェルチェ素子３７に通電して印加電極３５を冷却した後に当該印加電極へ高電圧を印加する構成としてある。これにより、霧化装置の印加電極は野菜室の上方の貯蔵室が冷凍室等の冷凍温温度帯の貯蔵室でなくでも周りの水蒸気を結露させ、ＯＨラジカル等を含むナノレベルのミストを放出させることができる。しかも、この霧化装置は印加電圧が放電する際には当該印加電極に結露水が付着していて空放電するようなことがないので、空放電による印加電極の摩滅を抑制してその寿命を長くすることができる。【選択図】図１６
2019032162.tif 000002
【特許請求の範囲】
【請求項１】
冷蔵庫本体に設けた冷蔵室、野菜室、冷凍室と、前記野菜室に設けた霧化装置と、前記霧化装置を制御する制御部とを備え、前記霧化装置は、ペェルチェ素子と、このペェルチェ素子によって冷却される印加電極と、この印加電極の対向電極とを備え、かつ、前記制御部はペェルチェ素子に通電して印加電極を冷却した後に当該印加電極へ高電圧を印加するように制御する構成とした冷蔵庫。
【請求項２】
制御部は、冷凍システムの圧縮機と同期させてペェルチェ素子への通電或いは印加電圧への高電圧印加を開始して霧化装置を作動させるとともに、前記圧縮機の停止或いは前記霧化装置の作動から所定時間後のいずれか短い方の時間で少なくとも印加電極への高電圧印加を停止させる構成とした請求項１記載の冷蔵庫。
【請求項３】
制御部は、冷凍システムの圧縮機駆動時に毎回霧化装置を作動させる強モードと、圧縮機駆動の数回おきに霧化装置を作動させる標準モードと、を備えた請求項１または２記載の冷蔵庫。
【請求項４】
野菜室は冷気を取り込むとともに野菜室内で冷気を循環させる野菜室ファンを備え、前記野菜室ファンは野菜室内の温度が野菜冷却保存温度帯以外の温度になると駆動するとともに、霧化装置は前記野菜室ファン駆動時の少なくとも一時期駆動させる構成とした請求項１〜３のいずれか１項記載の冷蔵庫。
【発明の詳細な説明】
【技術分野】
【０００１】
本発明は野菜室にミストを放出する冷蔵庫に関するものである。
【背景技術】
【０００２】
一般に野菜室にミストを放出する霧化装置を備えた冷蔵庫は、野菜の保鮮度が高く、長期間に亘って野菜を新鮮な状態に冷却保存できる利点がある。そして、このような冷蔵庫の中にはオゾンやＯＨラジカルなどを含むミストを放出する霧化装置を備え、野菜の除菌・殺菌もできるようにしたものがみられる（例えば、特許文献１参照）。
【０００３】
図１９は上記特許文献１（実施の形態６）に記載されている冷蔵庫を示し、その霧化装置１０１は放電電極となる印加電極１０２とその放電相手となる対向電極１０３を備え、上記印加電極１０２は野菜室１０４と製氷室１０５との間を仕切る仕切板１０６からの伝導熱により冷却されるように前記仕切板１０６に装着してある。これにより、印加電極１０２は露点以下に冷却されて周りの水蒸気が結露付着し、印加電極１０２に高電圧を印加して放電させると、印加電極１０２に結露付着した水滴がナノレベルのミストとなって放出される。その際、前記印加電極１０２の放電によりオゾンやＯＨラジカルなどが発生し、このオゾンやＯＨラジカルなどが前記ミストと一緒に放出され、オゾンやＯＨラジカルが持つ強い酸化力によって野菜の除菌・殺菌もできるというものである。
【先行技術文献】
【特許文献】
【０００４】
【特許文献１】特表２００６−９９１８９号公報
【発明の概要】
【発明が解決しようとする課題】
【０００５】
上記特許文献１に記載されている冷蔵庫は、印加電極１０２を低温に冷却し、周りの空気中に存在する水蒸気を結露させてミストを発生させるので、ミストを発生させるための水タンクや水供給構成等を必要とせず、コンパクトに設置できて野菜室等の容積を減じることがない、という利点がある。
【０００６】
しかしながら、上記霧化装置１０１ではミストを発生させる印加電極１０２を低温に冷却する必要があるため、霧化装置１０１を設置する野菜室１０４の天井となる仕切板１０６の上方の貯蔵室は製氷室１０５や冷凍室等の冷凍温度帯域の貯蔵室である必要がある。
【０００７】
したがって、野菜室が冷蔵室と冷凍室との間に配置されている真ん中野菜冷蔵庫では、野菜室上方の貯蔵室が野菜室より若干低い約１℃〜４℃程度の冷蔵室であるため、この冷蔵室からの熱伝導では印加電極３５を露点以下に冷却することができず、このような方式の霧化装置を適用することができなかった。
【０００８】
しかしながらこの真ん中野菜タイプの冷蔵庫は野菜の出し入れが容易で野菜を多用されるユーザには重宝されているため、このような真ん中野菜タイプの冷蔵庫にもその野菜室にオゾンやＯＨラジカルを含むナノレベルのミストを供給できる冷蔵庫の提供が求められていた。
【０００９】
本発明はこのような点に鑑みてなしたもので、真ん中野菜室タイプの冷蔵庫であってもその野菜室にオゾンやＯＨラジカルを含むナノレベルのミストを供給でき、しかもミストを発生する霧化装置自体の寿命を高めた冷蔵庫とすることを目的としたものである。
【課題を解決するための手段】
【００１０】
本発明は、上記目的を達成するため、野菜室に設けた霧化装置と、前記霧化装置を制御する制御部とを備え、前記霧化装置は、ペェルチェ素子と、このペェルチェ素子によって冷却される印加電極と、この印加電極の対向電極とを備え、かつ、前記制御部はペェルチェ素子に通電して印加電極を冷却した後に当該印加電極へ高電圧を印加するように制御する構成としてある。
【００１１】
これにより、霧化装置の印加電極は野菜室の上方の貯蔵室が冷凍室等の冷凍温度帯の貯蔵室でなくてもその印加電極を露点以下に冷却して周りの水蒸気を結露させ、オゾンやＯＨラジカルを含むナノレベルのミストを放出させることができる。しかも、この霧化装置はペェルチェ素子に通電して印加電極を冷却した後に当該印加電極へ高電圧を印加するので、印加電圧が放電する際には当該印加電極に結露水が付着していて空放電するようなことがなく、空放電による印加電極の摩滅を抑制してその寿命を長くすることができる。
【発明の効果】
【００１２】
本発明は、上記構成により、真ん中野菜室タイプの冷蔵庫のように冷凍温度帯域の貯蔵室からの熱伝導が得られにくい冷蔵庫であってもその野菜室にオゾンやＯＨラジカルを含むナノレベルのミストを供給でき、しかもミストを発生する霧化装置の寿命も長いものとすることができ、信頼性の高い冷蔵庫とすることができる。
【図面の簡単な説明】
【００１３】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の野菜室を示す断面図
【図５】同実施の形態１における冷蔵庫の野菜室を示す概略断面図
【図６】同実施の形態１における冷蔵庫の野菜室部分の分解斜視図
【図７】同実施の形態１における冷蔵庫の野菜室に用いる野菜室容器の斜視図
【図８】同実施の形態１における冷蔵庫の野菜室に霧化装置を装着した仕切板部分の断面図
【図９】同実施の形態１における冷蔵庫の野菜室に霧化装置を装着した仕切板部分の欠裁斜視図
【図１０】同実施の形態１における冷蔵庫の野菜室の仕切板を野菜室側から見た斜視図
【図１１】同実施の形態１における冷蔵庫の野菜室の仕切板を野菜室側から見た分解斜視図
【図１２】同実施の形態１における冷蔵庫の野菜室の仕切板を野菜室側から見た要部の拡大斜視図
【図１３】（ａ）同実施の形態１における冷蔵庫の野菜室に用いた霧化装置の斜視図（ｂ）同霧化装置の平面図
【図１４】同実施の形態１における冷蔵庫の野菜室に用いた霧化装置部分の断面図
【図１５】同実施の形態１における冷蔵庫の野菜室に用いた霧化装置の拡大断面図
【図１６】同実施の形態１における冷蔵庫の制御ブロック図
【図１７】同実施の形態１における冷蔵庫の霧化動作を説明するフローチャート
【図１８】（ａ）同実施の形態１における冷蔵庫の強モード時の動作を示すタイミングチャート図、（ｂ）同標準モード時におけるフローチャート図
【図１９】従来の冷蔵庫の霧化装置部分を示す概略断面図
【発明を実施するための形態】
【００１４】
第１の発明は、冷蔵庫本体に設けた冷蔵室、野菜室、冷凍室と、前記野菜室に設けた霧化装置と、前記霧化装置を制御する制御部とを備え、前記霧化装置は、ペェルチェ素子と、このペェルチェ素子によって冷却される印加電極と、この印加電極の対向電極とを備え、かつ、前記制御部はペェルチェ素子に通電して印加電極を冷却した後に当該印加電極へ高電圧を印加するように制御する構成としてある。
【００１５】
これにより、霧化装置の印加電極は野菜室の上方の貯蔵室が冷凍室等の冷凍温度帯の貯蔵室でなくでもその印加電極を露点以下に冷却して周りの水蒸気を結露させ、オゾンやＯＨラジカルを含むナノレベルのミストを放出させることができる。しかも、この霧化装置はペェルチェ素子に通電して印加電極を冷却した後に当該印加電極へ高電圧を印加するので、印加電圧が放電する際には当該印加電極に結露水が付着していて空放電するようなことがなく、空放電による印加電極の摩滅を抑制してその寿命を長くすることができる。
【００１６】
第２の発明は、第１の発明において、前記制御部は、冷凍システムの圧縮機と同期させてペェルチェ素子への通電或いは印加電圧への高電圧印加を開始し霧化装置を作動させるとともに、前記圧縮機の停止或いは前記霧化装置の作動から所定時間後のいずれか短い方の時間で少なくとも印加電極への高電圧印加を停止させる構成としてある。
【００１７】
これにより、圧縮機を駆動して冷却運転を行っているときには霧化装置が作動してオゾンやＯＨラジカルを含むナノレベルのミストを放出するので、冷気循環に伴ってこのミストを野菜室から冷蔵室、冷凍室へ供給することができ、これらの室に保存されている食品もミスト中のオゾンやＯＨラジカルで除菌・殺菌することができる。しかも、霧化装置は前記圧縮機の停止或いは前記霧化装置の作動から所定時間後のいずれか短い方の時間で少なくとも印加電極への高電圧印加を停止するので、印加電極に長時間高電圧を印加して放電させ続けることによる印加電極の摩滅を抑制することができ、長寿命化が可能となるとともに、オゾンやＯＨラジカルを過度に供給することも防止することもできる。
【００１８】
第３の発明は、第１または第２の発明において、前記制御部は、冷凍システムの圧縮機駆動時に毎回霧化装置を作動させる強モードと、圧縮機駆動の数回おきに霧化装置を作動させる標準モードと、を備えた構成としてある。
【００１９】
これにより、野菜室への野菜の収納量に応じでミストの供給量を変えることができるとともに、野菜収納量が少ないときには標準モードで霧化装置を供給して印加電極の高電圧放電時間を少なくすることができ、これによって印加電極の摩滅を防止してさらなる長寿命化が図れるとともに、オゾンやＯＨラジカルの過度の供給も防止することができる。
【００２０】
第４の発明は、第１〜第３の発明において、前記野菜室は冷気を取り込むとともに野菜室内で冷気を循環させる野菜室ファンを備え、前記野菜室ファンは野菜室内の温度が野菜冷却保存温度帯以外の温度になると駆動するとともに、霧化装置は前記野菜室ファン駆動時の少なくとも一時期駆動する構成としてある。
【００２１】
これにより、野菜室を効果的に冷却するとともに、野菜室の温度が高くなったり低くなりすぎたりすると、野菜室ファンが回転することによって野菜室内に生じがちな温度ムラを解消して野菜の劣化を防止でき、しかもこのようなときに少なくとも霧化装置も作動するときがあってオゾンやＯＨラジカルを含むナノクラスのミストを野菜室内に強制循環させるので、このミストによる水分補給及び除菌・殺菌作用の効果を上げ野菜を良好な状態に保持することができる。
【００２２】
以下、本発明の実施の形態について、図面を参照しながら説明する。尚、この実施の形態によって本発明が限定されるものではない。
【００２３】
（実施の形態１）
図１〜図１８は本発明の実施の形態１を示すもので、まず、冷蔵庫の全体構成について説明する。
【００２４】
図１〜図６において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２５】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００２６】
また、冷蔵庫本体１の背面には冷気を生成する冷却室１６と冷却室１６からの冷気を前記冷蔵室７、野菜室８、冷凍室９に供給循環させる冷気通路１７が設けられている。前記冷却室１６及び冷気通路１７の一部は冷凍室９の背面から野菜室８の下部背面に渡って形成されており、野菜室８との間は発泡スチロール等によって断熱性を持たせた背面壁体１８によって断熱仕切りしてある。
【００２７】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、野菜室８、冷凍室９に強制循環させて各室を冷却するものである。例えば、冷蔵室７は食品が凍らない程度の温度通常１℃〜４℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００２８】
次に野菜室８の構成について説明する。
【００２９】
野菜室８は図５に示すように、その背面下部に冷気入口２１、上部に冷気戻り口２２を有していて、冷気通路１７と連通している。そして、上記冷気入口２１にはこれと対向させて野菜室ファン２３が設けてあり、野菜室ファン２３の回転によって冷気通路１７内を流れる冷気を野菜室８内に積極的に取り込むようになっている。また、上記野菜室ファン２３は野菜室８の背面壁体１８に組み込んであり、同背面壁体１８に形成した野菜室ダクト２４の上部開口を介して野菜室８内の冷気の一部を吸引し、野菜室内で冷気を循環させることができるようにもなっている。この野菜室ファン２３は野菜室８内が所定の野菜冷却保存温度帯以上或いは以下になると駆動し、冷蔵室７の冷却運転中であれば冷気通路１７からの冷気を取り込み、冷却運転停止中であれば野菜室内の冷気を野菜室８内で循環させ、野菜室８内が野菜冷却保存温度帯になれば停止するようになっている。
【００３０】
また、前記野菜室８は図６に示すように野菜室容器２５が設けてあり、この野菜室容器２５は扉１１のレール２６に載置して扉開閉に伴い野菜室８内から出し入れ自在となっている。この野菜室容器２５は図７に示すように仕切壁体２７によって野菜を収納する野菜収納部２８と別途ボトル等を収納する非野菜収納部２９とに区画してあり、野菜収納部２８の上部には果物等を収納する小物収納容器３０が前後スライド自在に設けてある。そして、前記仕切壁体２７には透湿膜３１を設けて、野菜収納部２８内の湿度がほぼ一定に維持できるようにしてある。
【００３１】
また、前記野菜室８の冷気戻り口２２は上記非野菜収納部２９側の空間部分に設けてあり、図８、図９に示すように小物収納容器３０をスライド自在に保持するレール部材３２のスリット開口３３を介して前記野菜収納部２８とも連通させ、野菜収納部２８内の冷気が上記スリット開口３３を介して冷気戻り口２２から冷気通路１７へと還流していくようになっている。
【００３２】
さらに、前記野菜室８には霧化装置３４が組み込んである。
【００３３】
以下、この野菜室８に組み込んである霧化装置３４について、図１０〜図１８を用いて説明する。
【００３４】
図１０〜図１５において、霧化装置３４は野菜室８の天井面となる仕切板５、すなわち冷蔵室７と野菜室８との間を仕切る仕切板５の下面に装着してある。上記霧化装置３４は前記仕切板５下面のうち前記野菜室容器２５の野菜収納部２８に対応する位置に設けてあり、野菜収納部２８に放出したミストは既述したように前記レール部材３２のスリット開口３３、非野菜収納部２９、冷気戻り口２２を介して野菜室冷気とともに冷気通路１７へ還流していくようになっている。
【００３５】
ここで、前記霧化装置３４は、図１５に示すように、オゾンやＯＨラジカルを含むナノレベルのミストを放出する印加電極３５と対向電極３６とを備え、更に前記印加電極３５を露点以下の温度まで冷却するためのペェルチェ素子３７を備えている。すなわち、霧化装置３４は、金属ピン状の印加電極３５と、これに対向して配置したドーナツ円盤状の対向電極３６と、前記印加電極３５を冷却するように配置したペェルチェ素子３７とで霧化ユニット３８を構成している。そして、前記霧化ユニット３８の印加電極３５に高電圧を印加するとともに、前記ペェルチェ素子３７への通電を制御する制御ユニット３９（図１３参照−後述する冷蔵庫全体を統括制御する制御部の一部を構成している）を備え、これら霧化ユニット３８と制御ユニット３９は装置基板４０に組み込んで一体化し、仕切板５の下面に装着してある。その際、印加電極３５は対向電極３６の上方に位置していて、下向き、すなわち、野菜室８内に向かって放電するようにしてある。なお、印加電極３５はマイナス極、対向電極３６はプラス極に接続してあり、放出されるオゾンやＯＨラジカルを含むナノレベルのミストはマイナスに帯電している。
【００３６】
ここで、上記霧化装置３４は、圧縮機１５の運転開始と連動して作動、すなわち印加電極３５に高電圧を印加して放電させミストを放出するように構成してある。その際、前記印加電極３５を冷却するペェルチェ素子３７には高電圧印加の所定時間前に通電し、印加電極３５を露点以下の温度まで冷却して空気中の水蒸気が印加電極３５に結露しているようにしてある。そして、この霧化装置３４は前記圧縮機１５の停止もしくは霧化装置３４の作動開始から所定時間経過後のうちの短い方の時間が経過すると作動を停止するように構成してある。
【００３７】
図１６は上記冷蔵庫の制御ブロック図を示し、４４は冷蔵室温度検知手段、４５は野菜室温度検知手段、４６は冷凍室温度検知手段、４７は外気温度検知手段で、いずれもサーミスタで形成してあり、それぞれ冷蔵室７、野菜室８、冷凍室９、冷蔵庫本体１の適所に設置されている。４８は冷蔵庫全体を統括制御する制御部で、マイクロコンピュータ等によって構成してあり、前記冷蔵室温度検知手段４４、冷凍室温度検知手段４６からの出力に基づきあらかじめ組み込まれた制御ソフトにしたがって冷蔵室ダンパ４９、冷凍室ダンパ５０（いずれも構造図では図示せず）を開閉制御するとともに、圧縮機１５、冷却ファン２０を駆動して各室を設定温度に制御する。さらにこの制御部４８は前記したように圧縮機１５を駆動する際、圧縮機１５を駆動させる駆動温度より例えば１℃低い温度になるとペェルチェ素子３７に通電し、圧縮機駆動温度になると圧縮機１５とともに印加電極３５に高電圧を印加して霧化装置３４を作動させ、圧縮機停止もしくは霧化装置作動の所定時間経過後のいずれか短い方の時間で印加電極３５およびペェルチェ素子３７への通電を停止するようになっている。その制御の詳細は後述する。
【００３８】
以上のように構成された冷蔵庫について、以下その動作、作用を説明する。
【００３９】
まず、冷蔵庫全体の動作を説明しておくと、冷蔵室７および冷凍室９のいずれかが設定温度より高くなると、圧縮機１５と冷却ファン２０が駆動するとともに、冷気通路１７中に設けた冷蔵室ダンパ４９、冷凍室ダンパ５０のいずれかもしくは両方が開き、冷却器１９で生成された冷気が冷蔵室７と冷凍室９のいずれかもしくは両方、ならびに前記冷蔵室７と冷気通路１７を介して野菜室８へと供給され、これら各室が所定温度になるように冷却運転を行う。
【００４０】
一方、この実施の形態の冷蔵庫では、前記野菜室８の温度が野菜冷却保存温度帯以外の温度、例えば野菜室８の温度が高くなったり低すぎたりすると、制御部４８が野菜室ファン２３を回転させ、冷却運転中であれば循環冷気を野菜室８内に積極的に取り込んで野菜室８を効果的に冷却し、冷却運転停止中であれば野菜室８内の冷気を野菜室８内で循環させて野菜室８内の温度ムラを解消し、野菜を冷却保存している。
【００４１】
この時、すなわち、前記冷却運転を行っているとき、前記圧縮機１５の駆動とともに霧化装置３４が作動し、野菜室８内にミストが供給され、野菜室８内の野菜の保鮮が行われる。
【００４２】
以下、上記霧化装置３４の動作について、霧化装置のフローチャートを示す図１７と動作タイミングチャートを示す図１８を用いて説明する。
【００４３】
まず、この霧化装置３４は既述したように圧縮機１５の駆動と連動して作動を開始するが、その圧縮機１５の駆動よりも前にペェルチェ素子３７に通電し印加電極３５を冷却して周りの水蒸気を結露させておく。
【００４４】
そのため、この実施の形態では、圧縮機１５を駆動させる冷蔵室７或は冷凍室９の設定温度、すなわち、冷蔵室温度検知手段４４或いは冷凍室温度検知手段４６が検知する温度が前記設定温度、換言すると圧縮機駆動温度よりも例えば１℃低い温度になると（Ｓ１）、ペェルチェ素子３７に通電する（Ｓ２）。これにより、ペェルチェ素子３７は印加電極を露点以下まで冷却し、印加電極３５には周りの水蒸気が結露した状態となる。
【００４５】
上記ペェルチェ素子３７への通電後、冷蔵室温度検知手段４４或いは冷凍室温度検知手段４６が検知する温度が圧縮機駆動温度になると、圧縮機１５が駆動し（Ｓ１）、図示しないが前述したように圧縮機１５とともに冷却ファン２０や冷蔵室ダンパ４９、冷凍室ダンパ５０等が動作し各室に冷気が供給循環されて冷却運転が始まる。
【００４６】
そして、上記圧縮機１５の駆動とともに霧化装置３４の印加電極３５に高電圧が印加され対向電極３６との間で放電を行ってオゾンやＯＨラジカルを含むナノレベルのミストを放出する。
【００４７】
以上のようにしてミスト供給が開始されると、圧縮機１５の運転状態を確認し（Ｓ６）、圧縮機１５が停止すると（Ｓ６−Ｙ）、ペェルチェ素子３７への通電を停止し（Ｓ７）、印加電極３５への高電圧印加も停止して霧化装置３４の作動を停止する（Ｓ８）。
【００４８】
一方、圧縮機１５が運転状態の時は（Ｓ６−Ｎ）前記霧化装置３４の作動後、例えばペェルチェ素子３７への通電もしくは印加電極３５への高電圧印加のいずれであってもよいが、この実施の形態では印加電極３５への高電圧印加後、所定時間が経過すると（Ｓ９−Ｙ）、ペェルチェ素子３７への通電を停止し（Ｓ７）、印加電極３５への高電圧印加も停止して霧化装置３４の作動を停止する（Ｓ８）。
【００４９】
前記霧化装置３４の作動後、すなわち印加電極３５への高電圧印加後所定時間が経過していない場合は（Ｓ９−Ｎ）、ステップ（Ｓ６）に戻って圧縮機１５の運転状態を確認し、前記動作を繰り返す。すなわち、圧縮機１５が停止するか、或いは霧化装置３４の作動後所定時間が経過するか、のいずれか短い方の時間中、霧化装置３４が作動してオゾンやＯＨラジカルを含むナノレベルのミストを放出する。
【００５０】
そして、上記ミストを放出する霧化装置３４の作動は、図１８のタイミングチャート（ａ）に示すように、圧縮機１５駆動時に毎回作動する強モードと、同図（ｂ）に示すように、圧縮機１５駆動の数回おき、例えば１回おきに作動する標準モードの二種類備わっており、この強モードと標準モードが切り換えられるようになっている。
【００５１】
以上のように、この霧化装置３４は、印加電極３５に空気中の水蒸気を結露させ、この結露水を前記印加電極３５の対向電極３６に対する放電によってナノクラスのミストとして放出するが、前記印加電極３５はペェルチェ素子３７によって冷却するので、野菜室８の上方の貯蔵室が冷凍室９等の冷凍温度帯の貯蔵室でなくてもその印加電極３５を露点以下に冷却して空気中の水蒸気を結露させ、オゾンやＯＨラジカルを含むナノレベルのミストを放出させることができる。  この時、本実施の形態の霧化装置３４は、圧縮機駆動前にペェルチェ素子３７に通電してこれを冷却して結露水を付着させておくので、結露水なしの状態で放電（以下、これを空放電と称す）することがなく、空放電による印加電極３５の過度な摩滅を抑制することができる。加えてオゾンやＯＨラジカルの過度の放出も防止することができる。
【００５２】
また、上記霧化装置３４の運転は、圧縮機１５が停止或いは圧縮機１５が運転していても霧化装置３４が作動してから所定時間が経過する、すなわちいずれか短い方の時間が経過すると停止するようにしてあるから、年がら年中運転していて、かつ、冷蔵室７あるいは冷凍室９の温度状態によって圧縮機１５が頻繁に駆動し、しかもその駆動時間が長時間になるという冷蔵庫であっても、霧化装置３４の作動時間は限定的なものとすることができる。これによって、印加電極３５の放電による摩滅を抑制すると同時にオゾンやＯＨラジカルの放出量が過度なものとなるのを防止でき、長寿命かつ安全性の高いものとすることができる。
【００５３】
更に、前記霧化装置３４は、圧縮機１５駆動時に毎回作動する強モードと、圧縮機１５駆動の数回、この例では１回おきに作動する標準モードと、を備えた構成としてあるから、例えば野菜室８への野菜の収納量に応じてミストの供給量を変えることができるとともに、野菜収納量が少ないときには標準モードで霧化装置３４を供給して印加電極３５の高電圧放電時間を少なくすることができ、これによって印加電極３５の摩滅を防止してさらなる長寿命化が図れるとともに、オゾンやＯＨラジカルの過度の供給も防止することができる。
【００５４】
また、本実施の形態においては、前記野菜室８は当該野菜室８に設けた野菜室容器２５の内部を野菜収納部２８と非野菜収納部２９とに区分けし、前記野菜収納部２８と対応する部分の天井面に霧化装置３４を設けているから、霧化装置３４からのミストは図５の破線で示すように野菜収納部２８内に効率よく供給することができる。したがって、野菜収納部２８内の野菜に対するミスト保鮮効果はもちろんオゾンやＯＨラジカルによる除菌・殺菌効果も効率よく発揮させることができる。
【００５５】
しかも、上記野菜収納部２８と非野菜収納部２９の間は小物収納容器３０を支持するレール部材３２にスリット開口３３を設けているので、野菜収納部２８に放出されたオゾンやＯＨラジカルを含むミストは図８の破線で示すように上記スリット開口３３を介して非野菜収納部２９へと流れ、更に非野菜収納部２９に開口している冷気戻り口２２から冷気通路１７を介して冷蔵室７や冷凍室９にも供給されることになる。したがって、これら冷蔵室７や冷凍室９に冷却保存している食品に対してもオゾンやＯＨラジカルによって除菌・殺菌効果をもたらすことができる。すなわち、上記オゾンやＯＨラジカルを含むナノレベルのミストは野菜室８内だけではなく冷気循環に伴って野菜室８から冷蔵室７、冷凍室９へと供給することができ、これらの室に保存されている食品もミスト中のオゾンやＯＨラジカルで除菌・殺菌することができる。  更に、この実施の形態では、前記野菜室８に野菜室ファン２３が設けてあって上記した霧化装置動作中に野菜室温度が野菜冷却保存温度帯以外の温度になれば野菜室ファン２３が回転するから、野菜をより良好な状態に冷却保存できる。
【００５６】
すなわち、前記野菜室ファン２３は、少なくとも霧化装置３４が作動することになる圧縮機１５の駆動開始時には冷蔵室７や冷凍室９の温度とともに野菜室８の温度も高くなっている可能性が高いので、図１８のタイミングチャートに示すように圧縮機１５の駆動時には霧化装置３４とともに回転することになる。これにより、野菜室８内に放出したオゾンやＯＨラジカルを含むナノレベルのミストを野菜室８内に強制的に循環拡散させることができる。したがって、野菜室８に保存してある野菜の細部までオゾンやＯＨラジカルを含むナノレベルのミストをいきわたらせて、野菜の保鮮及び除菌・殺菌効果を高め、野菜を良好な状態に保持することができる。
【００５７】
更にまた、前記霧化装置３４は印加電極３５が野菜室８の天井面に設けられており、しかも下向き、すなわち、野菜室８内に向かって放電するように構成してあるので、放電によって生成されるオゾンやＯＨラジカルを含むナノレベルのミストは野菜室８内に効果的に供給され、野菜の保鮮度効果が高いものとなる。加えて、印加電極３５を下向きとしていることによって印加電極３５に付着する結露水がその先端放電部に集まって効率よくナノレベルのミストを放出できるとともに、空放電による印加電極３５の摩滅も防止して長寿命化を図ることもできる。
【００５８】
しかも、上記印加電極３５はマイナス極としてあるから、放電によって放出されるオゾンやＯＨラジカルを含むナノレベルのミストはマイナスに帯電しており、通常プラスに帯電している野菜への付着効果が高まり、保鮮はもちろん、オゾンやＯＨラジカルが持つ除菌・殺菌効果も高いものとなる。
【００５９】
更にこの実施の形態では、野菜室８を冷蔵室７と冷凍室９との間に配置した真ん中野菜室タイプの冷蔵庫としてあるから、野菜の出し入れを容易なものとしつつその野菜を新鮮な状態に保鮮し、除菌・殺菌もでき、野菜を多用されるユーザにとって使い勝手の良い冷蔵庫となる。
【００６０】
以上、本発明の一実施の形態を説明してきたが、上記実施の形態で説明した構成は本発明を実施する一例として示したものであり、本発明の目的を達成する範囲で種々変更可能なことは言うまでもない。
【００６１】
例えば上記実施の形態では霧化装置３４の停止条件の一つを霧化装置３４作動の所定時間後としているが、この霧化装置３４の作動は圧縮機１５の作動と連動しているので、圧縮機１５の作動後であってもよく、霧化装置３４作動の所定時間後にはこの圧縮機１５作動の所定時間後も含むものである。
【００６２】
また、霧化装置３４はそのペェルチェ素子３７への通電を、上記実施の形態では印加電極３５と同様圧縮機１５の運転もしくは霧化装置３４の作動所定時間後のいずれか短い方の時間だけ行い、それ以外の時間は非通電としたが、外気温が高いときには霧化装置３４の作動が頻繁になる可能性があるので外気温が一定温度以上になれば常時通電する制御パターンを追加しておくこともできる。
【００６３】
更に、冷蔵庫も、真ん中野菜タイプの冷蔵庫の場合を例にして説明したが、これは例えば野菜室が冷凍温度帯域の貯蔵室の下部にある冷蔵庫であって、その冷凍温度帯域の貯蔵室と野菜室との間を仕切る仕切板に本発明の霧化装置３４を設ける構成とする場合でも適用できるものである。
【００６４】
更にまた、野菜室８は必ずしも野菜室ファン２３を必要とするものではなく、野菜室ファン２３が備わっていないタイプの冷蔵庫にも適用できるものである。
【産業上の利用可能性】
【００６５】
本発明は、真ん中野菜室タイプの冷蔵庫のように冷凍温度帯域の貯蔵室からの熱伝導が得られにくい冷蔵庫であってもその野菜室にオゾンやＯＨラジカルを含むナノレベルのミストを供給でき、しかもミストを発生する霧化装置の寿命も長いものとすることができ、信頼性の高い冷蔵庫とすることができる。よって、家庭用はもちろん業務用冷蔵庫やショーケース等多くの用途に幅広く適用することができる。
【符号の説明】
【００６６】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  冷気入口
２２  冷気戻り口
２３  野菜室ファン
２４  野菜室ダクト
２５  野菜室容器
２６  レール
２７  仕切壁体
２８  野菜収納部
２９  非野菜収納部
３０  小物収納容器
３１  透湿膜
３２  レール部材
３３  スリット開口（開口）
３４  霧化装置
３５  印加電極
３６  対向電極
３７  ペェルチェ素子
３８  霧化ユニット
３９  制御ユニット
４０  装置基板
４１  補強梁
４２  リブ
４３  凹所
４４  冷蔵室温度検知手段
４５  野菜室温度検知手段
４６  冷凍室温度検知手段
４７  外気温度検知手段
４８  制御部
４９  冷蔵室ダンパ
５０  冷凍室ダンパ
【図１】
2019032162.tif 000003
【図２】
2019032162.tif 000004
【図３】
2019032162.tif 000005
【図４】
2019032162.tif 000006
【図５】
2019032162.tif 000007
【図６】
2019032162.tif 000008
【図７】
2019032162.tif 000009
【図８】
2019032162.tif 000010
【図９】
2019032162.tif 000011
【図１０】
2019032162.tif 000012
【図１１】
2019032162.tif 000013
【図１２】
2019032162.tif 000014
【図１３】
2019032162.tif 000015
【図１４】
2019032162.tif 000016
【図１５】
2019032162.tif 000017
【図１６】
2019032162.tif 000018
【図１７】
2019032162.tif 000019
【図１８】
2019032162.tif 000020
【図１９】
2019032162.tif 000021
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
冷蔵庫であって、
前記冷蔵庫の最上部に設けられている冷蔵室と、
前記冷蔵室の下方に設けられている野菜室と、
前記野菜室の下方に設けられている冷凍室と、
前記野菜室の背面に設けられている、前記野菜室と連通する冷気通路と、
前記野菜室に設けられている、ミストを放出する霧化装置とを備え、
前記霧化装置が放出するミストは、前記冷気通路を介して前記冷蔵室と前記冷凍室にも供給されることを特徴とする冷蔵庫。
【請求項２】
前記霧化装置は、前記野菜室の天井面に設けられていることを特徴とする請求項１に記載の冷蔵庫。
【請求項３】
前記野菜室は、第１の収容部と第２の収容部とに区画され、
前記第１の収容部の天井面に前記霧化装置が設けられ、
前記第２の収容部が前記冷気通路と連通し、
前記第１の収容部と前記第２の収容部とを区画する部材には、開口が設けられていることを特徴とする請求項１に記載の冷蔵庫。
【請求項４】
前記第１の収納部の上部には、スライド可能な収納容器が設けられていることを特徴とする請求項３に記載の冷蔵庫。
【請求項５】
前記開口は、前記収納容器を支持するレール部材に設けられていることを特徴とする請求項４に記載の冷蔵庫。
【請求項６】
前記霧化装置は、圧縮機の運転に連動してミストを放出することを特徴とする請求項１から５のいずれか１項に記載の冷蔵庫。
【請求項７】
前記霧化装置は、圧縮機が運転を開始したことに基づいてミストの放出を開始し、
前記霧化装置は、前記圧縮機が運転を停止したことに基づいてミストの放出を停止することを特徴とする請求項１から５のいずれか１項に記載の冷蔵庫。
【請求項８】
前記霧化装置は、圧縮機が運転を開始したことに基づいてミストの放出を開始し、
前記霧化装置は、前記圧縮機が運転を停止したことに基づいて、又は、ミストの放出を開始してから所定時間経過したことに基づいて、ミストの放出を停止することを特徴とする請求項１から５のいずれか１項に記載の冷蔵庫。
【請求項９】
前記霧化装置が放出するミストは、ＯＨラジカルを含むミストであることを特徴とする請求項１から８のいずれか１項に記載の冷蔵庫。
【請求項１０】
前記霧化装置は、印加電極と、前記印加電極を冷却するためのペルチェ素子と、対向電極とで構成され、前記印加電極から前記対向電極に放電することで、前記印加電極に付着している結露水がミストとして放出されることを特徴とする請求項１から９のいずれか１項に記載の冷蔵庫。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、野菜室に設けられている霧化装置が放出するミストを、冷蔵室と冷凍室にも供給できる冷蔵庫を提供することを目的としたものである。
【手続補正７】
【補正対象書類名】明細書
【補正対象項目名】００１０
【補正方法】変更
【補正の内容】
【００１０】
本発明の冷蔵庫は、前記冷蔵庫の最上部に設けられている冷蔵室と、前記冷蔵室の下方に設けられている野菜室と、前記野菜室の下方に設けられている冷凍室と、前記野菜室の背面に設けられている、前記野菜室と連通する冷気通路と、前記野菜室に設けられている、ミストを放出する霧化装置とを備え、前記霧化装置が放出するミストは、前記冷気通路を介して前記冷蔵室と前記冷凍室にも供給されることを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、野菜室に設けられている霧化装置が放出するミストを、冷蔵室と冷凍室にも供給できる冷蔵庫を提供することができる。